(57)【要約】【課題】複数の弁当供給者が共同で利用できる基盤の提供と、職場の取り纏め者が一括弁当注文できる機能の提供と、弁当注文者へのポイントサービス、人気度、食材に関する情報などきめ細かな情報サービスの提供を行う。【解決手段】注文端末からネットワークを介して弁当を注文し、注文者に弁当の配達や各種サービスを行う弁当注文および弁当情報サービスシステムにおいて、注文端末からの注文の受付や弁当情報サービスを行う弁当アプリケーションサービスプロバイダーと、弁当アプリケーションサービスプロバイダーから注文データを受け取り、弁当を生産管理する弁当生産管理システムとを備える。【選択図】        図４
2004288059.tif 000002
【特許請求の範囲】
【請求項１】
注文端末からネットワークを介して弁当を注文し、注文者に弁当の配達や各種サービスを行う弁当注文および弁当情報サービスシステムにおいて、
前記注文端末からの注文の受付や弁当情報サービスを行う弁当アプリケーションサービスプロバイダーと、前記弁当アプリケーションサービスプロバイダーから注文データを受け取り、弁当を生産管理する弁当生産管理システムとで構成することを特徴とする弁当注文および弁当情報サービスシステム。
【請求項２】
請求範囲第１項において、前記弁当アプリケーションサービスプロバイダーは、少なくとも、会員を管理するための会員登録管理サービス手段と、前記注文端末から弁当の注文を受け付ける弁当注文サービス手段と、弁当に関する各種情報を提供する弁当情報サービス手段とで構成されることを特徴とする弁当注文および弁当情報サービスシステム。
【請求項３】
請求範囲第２項において、前記弁当注文サービス手段は、日別もしくは月別の注文、あるいは、弁当の生産者である利用店を選択して注文できるように構成したことを特徴とする弁当注文および弁当情報サービスシステム。
【請求項４】
請求範囲第２項において、前記会員登録管理サービス手段は、職場の取り纏め者が複数人数を纏めて注文できる取り纏め者用アカウントを発行できることを特徴とする弁当注文および弁当情報サービスシステム。
【請求項５】
請求範囲第２項において、前記弁当情報サービス手段の１つとして、注文を確認する注文確認情報および弁当代金の請求確認情報である履歴情報サービスを提供することを特徴とする弁当注文および弁当情報サービスシステム。
【請求項６】
請求範囲第２項において、前記弁当情報サービス手段の１つとして、注文毎にポイントを累積し、提示するポイント情報サービスを提供することを特徴とする弁当注文および弁当情報サービスシステム。
【請求項７】
請求範囲第２項において、前記弁当情報サービス手段の１つとして、弁当の保管場所に関する注意や飲食時間に関する注意などの衛生管理情報サービスを提供することを特徴とする弁当注文および弁当情報サービスシステム。
【請求項８】
請求範囲第２項において、前記弁当情報サービス手段の１つとして、弁当生産に用いる食材の生産者・供給者名、住所などの食材情報サービスを提供することを特徴とする弁当注文および弁当情報サービスシステム。
【請求項９】
請求範囲第２項において、前記弁当情報サービス手段の１つとして、弁当毎のカロリーと成分情報などのカロリー情報サービスを提供することを特徴とする弁当注文および弁当情報サービスシステム。
【請求項１０】
請求範囲第２項において、前記弁当情報サービス手段の１つとして、期間を指定して弁当の内容を表すメニュー情報サービスを提供することを特徴とする弁当注文および弁当情報サービスシステム。
【請求項１１】
請求範囲第２項において、前記弁当情報サービス手段の１つとして、弁当の作り方であるレシピ情報サービスを提供することを特徴とする弁当注文および弁当情報サービスシステム。
【請求項１２】
請求範囲第２項において、前記弁当情報サービス手段の１つとして、所定期間の弁当の人気度を集計した結果を提示する人気度情報サービスを提供することを特徴とする弁当注文および弁当情報サービスシステム。
【請求項１３】
請求範囲第２項において、前記弁当情報サービス手段の１つとして、所定期間毎に注文者対象に自動抽選を行い、当選者に景品を送付する抽選情報サービスを提供することを特徴とする弁当注文および弁当情報サービスシステム。
【請求項１４】
請求範囲第２項において、前記弁当情報サービス手段の１つとして、広告主からの依頼を受けて掲載するチラシを印刷し、弁当と一緒に配布する広告情報サービスを提供することを特徴とする弁当注文および弁当情報サービスシステム。
【請求項１５】
請求範囲第１項において、前記弁当生産管理システムは、少なくとも、受注状況や売上状況を集計管理する受注・売上管理手段と、弁当を製造し、配送・回収の一環を管理する製造・配送・回収管理手段と、一定期間の業績を管理する業績管理手段、弁当の献立を管理する献立管理手段と、弁当の材料の発注・在庫を管理する材料管理手段とで構成することを特徴とする弁当注文および弁当情報サービスシステム。
【請求項１６】
注文端末からネットワークを介して弁当を注文し、注文者に弁当の配達や各種サービスを行う弁当注文および弁当情報サービスシステムにおいて、
前記注文端末からの注文の受付や弁当情報サービスを行う弁当アプリケーションサービスプロバイダーと、前記弁当アプリケーションサービスプロバイダーから注文データを受け取り、弁当を生産管理する弁当生産管理システムと、前記弁当アプリケーションサービスプロバイダーと前記弁当生産管理システムからのデータを元に弁当代金を決済する決済サーバとで構成することを特徴とする弁当注文および弁当情報サービスシステム。
【発明の詳細な説明】
【０００１】
【発明の属する技術分野】
本発明は、注文端末からネットワークを介して、弁当の注文、また、弁当に関する各種情報を提供できる弁当注文および弁当情報サービスシステムに係り、特に、複数の弁当供給者が共通で利用できる基盤の提供、弁当注文者への各種情報の提供に好適な弁当注文および弁当情報サービスシステムに関する。
【０００２】
【従来の技術】
ネットワークを利用した弁当等の受注生産に関する従来技術として、特開２００２−４９７７２号公報には、弁当供給による食環境、食生活を豊かで多様化し、かつ、食材などのロスを防ぐ発明が開示されている。
【０００３】
【発明が解決しようとする課題】
しかしながら、従来技術においては、インターネットにより弁当や惣菜などが受発注管理できるソフトに関する概念発明のみであり、その具体的なシステム構成についての開示が不十分である。特に、複数の弁当供給者が共同で利用できる基盤の開示がない。更に、職場の取り纏め者が一括弁当注文する場合への配慮がされていなく使い勝手が悪いという問題点があった。さらに、弁当注文者へのポイントサービス、人気度、食材に関する情報などきめ細かなサービスへの配慮がされていないという問題点があった。
【０００４】
【課題を解決するための手段】
上記目的を達成するために本発明は、注文端末からネットワークを介して弁当を注文し、注文者に弁当の配達や各種サービスを行う弁当注文および弁当情報サービスシステムにおいて、注文端末からの注文の受付や弁当情報サービスを行う弁当アプリケーションサービスプロバイダーと、弁当アプリケーションサービスプロバイダーから注文データを受け取り、弁当を生産管理する弁当生産管理システムとで構成することを特徴とする。
【０００５】
すなわち、注文端末からの注文の受付や弁当情報サービスを行う弁当アプリケーションサービスプロバイダーをネットワーク上に設け、複数の弁当供給者のメニューを掲載し、注文者は注文端末からその弁当メニューを選択して注文できるようにした。また、弁当アプリケーションサービスプロバイダーには、職場の取り纏め者の会員登録手段と弁当注文者へのきめ細かな情報を提供できる弁当情報サービス手段を設けた。更に、弁当アプリケーションサービスプロバイダーから注文データを弁当生産管理システムに送り、弁当生産の管理をしやすい構成にした。これにより、複数の弁当供給者により弁当の種類が豊富になり、かつ、職場での一括注文や各種サービス提供など、利用者にとって使い勝手が大幅に向上する。
【０００６】
【発明の実施の形態】
本発明の実施の形態について、以下、第１図から第２８図の図面を参照しながら述べる。
【０００７】
図１は、本実施例における弁当注文および弁当情報サービスシステムの全体構成を示したものである。大別して、利用者１００が弁当を注文するための注文端末（固定端末）２００と、弁当アプリケーションサービスプロバイダー（以下、弁当ＡＳＰ）３００と、弁当生産管理システム４００と、決済サーバ８００とで構成され、各々はインターネット／イントラネット１０００に接続されている。弁当生産管理システム４００は、売上管理や業績管理などを行うバックエンドサーバ５００と、バックエンドサーバに接続するバックエンド端末６００と、弁当を生産・配送・回収を行う弁当工場７００とで構成される。弁当工場７００で生産された弁当は、トラックなどの輸送手段９００を用いて、利用者１００まで配送される。ここで、決済サーバ８００は、弁当代金の給与天引きや銀行振替などを行うものである。
【０００８】
図２は、弁当ＡＳＰ３００の内部機能を表した図である。本発明の弁当ＡＳＰ３００では、ＷＷＷ（Ｗｏｒｌｄ  Ｗｉｄｅ  Ｗｅｂ）  技術により実現することを前提に説明する。したがって、各内部機能はリンクによりどこにでもジャンプできるようになっている。
【０００９】
まず、利用者は、弁当受付サービス３０５のページにアクセスすると、サービス概要３１０のページ、会員登録管理サービス３１５のページ、弁当注文サービス３２０のページのいずれかを選択し、それぞれにジャンプする。
【００１０】
サービス概要３１０は、さらに、履歴・ポイントサービス３２５、衛生管理サービス３３０、食材情報サービス３３５、カロリー情報サービス３４０、メニュー・レシピ情報サービス３４５、人気度情報サービス３５０、抽選情報サービス３５５、広告情報サービス３６０、掲示板サービス３６５などの機能で構成される。上記した各機能には、各々データなどのファイル３０５Ｄ〜３６５Ｄが生成され、蓄えられている。各機能の詳細は後述する。
【００１１】
図３は、弁当生産管理システム４００の内部機能を表した図で、受注状況や売上状況を集計管理する受注・売上管理機能５１０と、弁当を製造し、配送・回収の一環を管理する製造・配送・回収管理機能５２０と、一定期間の業績を管理する業績管理機能５３０と、弁当の献立を管理する献立管理機能５４０と、弁当の材料の発注・在庫を管理する材料管理機能５５０とで構成される。また、各機能には、各々データなどのファイル５１０Ｄ〜５５０Ｄが生成され、蓄えられている。
【００１２】
図４は、図１の全体構成の動作シーケンスを表した図である。以下、図を用いて動作を説明する。注文端末１００から、弁当受付サービス３０５のページにアクセスし、最初に、会員登録管理サービス３１５のページにジャンプして、会員登録、変更、退会などの処理を行う。会員登録が終わると、弁当の注文ができるため、弁当受付サービス３０５のページで、弁当注文サービス３２０にジャンプし、弁当の注文処理を行う。
【００１３】
弁当注文サービス３２０では、注文端末１００から、まず、会員登録で許可されたＩＤとパスワードでログインし、次に注文方法や注文内容を入力する。このとき、必要に応じて、過去の注文履歴情報を表示したり、現在までのポイントサービスのポイントを表示したり、さらに、注文する弁当を指示して、カロリー情報などを表示することができる。
【００１４】
弁当注文サービス３２０を受け付けるに当たっては、弁当生産管理システム４００からの献立管理機能５４０から、献立やカロリー情報などのデータ、更に、材料管理機能５５０から材料情報などのデータを弁当ＡＳＰ３００に送っておく必要がある。
【００１５】
弁当注文サービス３２０において、所定の時刻になると注文受付サービスを締め切り、注文データは、弁当生産管理システム４００の製造・配送・回収管理機能５２０に送られる。弁当代金が、カード決済や、給与決済の時、そのデータは、決済サーバ８００の決済処理８１０に送られ、決済処理される。
【００１６】
製造・配送・回収管理機能５２０が終了すると、受注・売上管理機能で集計され、データ出力５１０Ｐを行う。更に、業績などを業績管理機能５３０により、業績データ出力５３０Ｐを行うことができる。
【００１７】
一方、弁当受付サービス３０５において、サービスの概要を指示するとサービス概要３１０のページにジャンプし、各種サービスを注文端末のページに進むことができる。
【００１８】
以下、弁当ＡＳＰ３００の詳細処理を注文端末の画面を例に説明する。図５は、弁当受付サービス３０５の画面（以下、ページという）である。まず、注意事項３０５Ａを表示し、利用方法などの情報を表示する。次に、サービスメニューとして、サービス概要３１０、会員登録３１５，お弁当の注文３２０があり、いずれかをクリックすると、そのページにジャンプできる。初めての利用の方は、会員登録３１５から入る。
【００１９】
図６は、会員登録管理サービス３１５のページで、会員の登録３１５Ａ、登録の変更３１５Ｂ、会員の退会３１５Ｃがある。なお、このページには、“ホームへ”のアイコンがあり、これは、弁当受付サービス３０５のページへ戻るものである。
【００２０】
図７は、会員の登録３１５Ａのページで、登録項目３１５Ａ１の情報を入力する。ここで、★印は必須の入力項目で、入力しないとアラームを出して登録できないようになっている。３１５Ａ２は、会社などの職場の場合、会社名や部署名、給与振替情報などを入力する。入力が終わったら、“登録”３１５Ａ３をクリックすることで会員登録が完了する。なお、登録の変更３１５Ｂは、既に登録済みの情報を変更するもの、会員の退会３１５Ｃは退会のためのもので、詳細説明は割愛する。
【００２１】
図８は、弁当注文サービス３２０のページで、会社などの職場の場合は、会社名と部署名３２０Ａを入力する。次に、ユーザＩＤとパスワード３２０Ｂを入力し、“ログイン”アイコン３２０Ｃをクリックすると、次の注文方法３２０Ｄのページに進む。
【００２２】
図９は、注文方法３２０Ｄのページで、“毎度ご利用ありがとうございます”の表示と共に、音声でも同じメッセージを出力する。まず、日別注文か月別注文かの選択を行い（３２０Ｄ１）、かつ、弁当供給者である利用店をクリックすると（３２０Ｄ２）、次のページに進む。ここで、注文方法の決定する前に、履歴・ポイントサービス３２５を利用する場合は、３２５Ａのメニューをクリックする。この履歴サービスには、３２５Ａに示すように、注文確認書表示、請求確認書、注文確認書表示（取り纏め者用）、請求確認書（取り纏め者用）がある。なお、ポイントサービスは、３２５Ｂに表示のように、現在までのポイント数を表示している。
【００２３】
図１０は、日別注文の場合の注文ページである。まず、ログイン情報を元に、注文者名３２０Ｅ１と注文店舗名３２０Ｅ２が表示されている。注文者が予め登録された取り纏め者の場合、取り纏め者用再ログインをクリックすると、同一部署内の全会員が図１３に示すように、会員名３２０Ｅ３が表示され、会員の弁当を代理注文ができる。“メニュー・レシピへ”  アイコン３２０Ｅ４をクリックすると弁当のメニュー内容やレシピのページへジャンプできる（後述）。日別注文のページでは、注文日３２０Ｅ５を指定し、“決定”アイコンを指定することで、次のページへ進む。なお、“ホームへ”、“ログインへ”、“戻る”のアイコンをクリックすると、そのページへジャンプすることができる。これらのアイコンは、以下のページでも、同様のため説明を割愛する。
【００２４】
図１１は、日別注文３２０Ｆのページで、注文数３２０Ｆ１を指定するものである。ここで、新製品の場合は、“新製品”の旨が表示される（３２０Ｆ２）。更に、該当弁当の画像を見るときは、“画像”アイコンを、カロリーに関する情報を見るときは“カロリ”３４０Ｃをクリックするとそのページにジャンプする。注文数が決まると、“注文”アイコン３２０Ｆ３をクリックすることで注文が確定する。
【００２５】
図１２は、月別注文３２０Ｇページで、注文数３２０Ｇ３を指定するものである。このページには、当月分と翌月分を指定するエリア３２０Ｇ１と“次週へ”のアイコン３２０Ｇ２がある。なお、注文数３２０Ｇ３を指定すると、合計数と合計金額が自動計算される。注文数が決まると、“注文”アイコン３２０Ｇ４をクリックすることで注文が確定する。なお、“取り纏め者用再ログイン”をクリックすると、図１３に図示した同様に代理注文ができる。このページには、“リセット”アイコン３２０Ｇ５をクリックすることで、全ての入力をクリアすることができる。
【００２６】
図１４は、代理ログインによる日別注文３２０Ｈのページで、代理ログイン者名３２０Ｈ１の表示がされており、間違いの無いようになっている。他は図１１と同じである。
【００２７】
図１５は、図９の履歴・ポイントサービス３２５において、“注文確認書表示（取り纏め者用）”をクリックすると起動される画面である。注文確認書（取り纏め者用）３２５Ａにおいて、日付３２５Ａ１と店舗３２５Ａ２を指定するページである。“検索”アイコン３２５Ａ３をクリックすることで、次へ進む。
【００２８】
図１６は、図１５の注文確認書（取り纏め者用）３２５Ａで指定された対象期間が１日の場合の弁当注文状況を確認するためのページ３２５Ａ３である。このページには、取り纏め主の名前３２５Ａ３１と確認内容３２５Ａ３２が表示される。確認内容３２５Ａ３２には、日付、注文者、業者（弁当供給者）、お弁当名、単価、数量、合計金額などが表示される。
【００２９】
図１７は、図９の履歴・ポイントサービス３２５において、“請求確認書表示（取り纏め者用）”をクリックすると起動される画面である。図において、日付３２５Ａ１を期間で指定した場合のページ例である。このページでは、２日間を指定している例である。
【００３０】
図１８は、図１７で対象期間を複数指定した場合の請求確認書３２５Ｂの例である。取り纏め主の名前３２５Ｂ１と確認内容３２５Ｂ２が表示される。確認内容３２５Ｂ２には、図１６とほぼ同じような内容が表示されるが、レイアウトが見やすいように表示される。なお、図１５〜図１８において、取り纏め者用の注文確認書と請求確認書を説明したが、個人の確認書も同様な画面で可能である。
【００３１】
以上、弁当注文サービスのページを説明したが、次に、サービス概要３１０の具体的な説明をする。図１９は、サービス概要の目次を表示したもので、“衛生管理サービス”３３０、“食材情報サービス”３３５、“カロリー情報サービス”３４０、“メニュー・レシピ情報サービス”３４５、“人気度情報サービス”３５０，“抽選情報サービス”３５５、“広告情報サービス”３６０、“掲示板サービス”３６５、“Ｑ＆Ａ”３７０、“お知らせ情報”３７５で構成される。３３０〜３６０までの説明は後述する。“掲示板サービス”３６５は、弁当に関するユーザの声を反映するもので、要望事項や弁当に対する評価など弁当供給者や利用者同士の意見交換の場である。“Ｑ＆Ａ”３７０は、操作に関する事項や、弁当の管理に関する事項、代金支払いに関する事項など予め想定される事項をＱ＆Ａ形式掲載されるものである。一方、“お知らせ情報”３７５は、弁当供給者や弁当ＡＳＰ３００の管理者からの報知事項を伝えるものである。なお、重要事項に関しては、メールアドレス登録者には、メッセージ配信もされる。たとえば、新しい弁当メニューの紹介や、夏休みや正月休みの連絡などがある。
【００３２】
図２０は、衛生管理サービス３３０のページ例である。このページは、衛生に関する事項を表示するもので、たとえば、保管場所に関する注意事項、食事時間に関する注意事項などが考えられる（３３０Ａ）。
【００３３】
図２１は、食材情報サービス３３５のページ例である。このページには、店舗名３３５Ａ１、食材提供者情報３３５Ａ２が表示され、産地に関する情報を提供している。無農薬宣言したり、産地を明確化したりすることで、環境問題に敏感な利用者に情報提供している。
【００３４】
図２２は、カロリー情報サービス３４０のページ例である。のページでは、まず、弁当メニュー３４０Ｂを表示し、“カロリ”３４０Ｃアイコンをクリックすることで、この情報が表示される。
【００３５】
図２３は、図２２のページで選択された弁当（この例では“愛菜”）のカロリー成分表示の例である。弁当のカロリーや成分の数字３４０Ｃ２とこの数字のダイヤグラム３４０Ｃ３が表示される。なお、ダイヤグラム３４０Ｃ３には、年代別女性の目標栄養所要量（点線表示）と該当弁当の栄養価（実線表示）が表示される。年代は選択指示することができる（３４０Ｃ４）。
【００３６】
図２４は、メニュー・レシピ情報３４５のページ例で、表示する期間３４５Ａと店舗３４５Ｂを指定するためのページである。“検索”アイコン３４５Ｃで次へ進む。
【００３７】
図２５は、図２４のページで指定した店舗３４５Ｃ１と指定期間の弁当メニューの内容３４５Ｃ２を一覧表で表示したページ例である。なお、レシピは“レシピ”アイコン３４５Ｃ３をクリックすることで、詳細なレシピ情報が表示される。
【００３８】
図２６は、人気度情報サービス３５０のページ例である。このページは、店舗３５０Ａと、前月分か、今月分かの期間３５０Ｂを指定することにより、人気度情報３５０Ｃが順位で表示される。これにより、どの弁当が好評かなどがわかり、注文するときの目安になる効果がある。人気度を順位でなく、注文総数で表示しても良い。
【００３９】
図２７は、抽選情報サービス３５５のページ例である。このページは、弁当注文者に対して、月１回など所定日にランダムに投票を行い、当選者には景品を提供するサービスである。当選者には、メールで当選した旨のメッセージが自動送信される。なお、当選番号３５５Ｂもページに表示されている。メールやページを見落とした方のために、前月分も指定（３５５Ａ）により表示することができる。このように、弁当注文者に対してわくわく感を持たせることで弁当拡販に寄与する効果がある。
【００４０】
図２８は、広告情報サービス３６０のページおよび広告印刷物の例である。企業３６０Ｂや飲食店３６０Ｃなどから広告を受け付け、画面へのページ表示や弁当の包み紙や敷紙に印刷して配布するサービスである。このサービスは、広告料の収入もあり、良い宣伝媒体となる。なお、当選の抽選番号３６０Ａも日付と一緒に印刷される。
【００４１】
本発明の他の実施例として、図１では、注文端末２００として、固定の端末を想定したが、携帯電話やＰＤＡなどのモバイル端末からの注文も受けつるように構成しても良い。この場合、工事現場やイベント会場などからも注文ができ便利である。
【００４２】
さらに、本発明の他の実施例として、弁当以外の惣菜、パンなどのメニューを追加してもよい。
【００４３】
【発明の効果】
本発明の弁当注文および弁当情報サービスシステムにより、注文端末と、弁当プリケーションサービスプロバイダーと、弁当アプリケーションサービスプロバイダーから注文データを受け取り、弁当を生産管理する弁当生産管理システムとで構成することにより、弁当供給者が利用するための基盤を確立し、複数弁当供給者が利用しやすい環境の提供と、弁当注文者は多くの種類の弁当の選択肢が増加し、利用しやすい効果がある。また、職場の取り纏め者の会員登録機能を設けることにより、弁当の一括注文が可能となり、使い勝手が大幅に向上する効果がある。さらに、弁当注文者へのポイントサービスや抽選サービス、人気度サービスなどきめ細かな弁当情報サービスの提供により、弁当拡販に寄与する効果がある。
【図面の簡単な説明】
【図１】本発明による弁当注文および弁当情報サービスシステムの全体構成を示す図である。
【図２】本発明による弁当アプリケーションサービスプロバイダーの機能を示す図である。
【図３】本発明による弁当生産管理システムの機能を示す図である。
【図４】本発明の全体構成のシーケンスを説明する図である。
【図５】本発明の弁当受付サービスのページ図である。
【図６】本発明の会員登録管理サービスのページ図である。
【図７】本発明の会員の登録サービスのページ図である。
【図８】本発明の弁当サービスのページ図である。
【図９】本発明の弁当サービスのページ図である。
【図１０】本発明の弁当サービスのページ図である。
【図１１】本発明の弁当サービスのページ図である。
【図１２】本発明の弁当サービスのページ図である。
【図１３】本発明の弁当サービスのページ図である。
【図１４】本発明の弁当サービスのページ図である。
【図１５】本発明の弁当受付サービスのページ図である。
【図１６】本発明の注文確認書（取り纏め者用）のページ図である。
【図１７】本発明の注文確認書（取り纏め者用）のページ図である。
【図１８】本発明の注文確認書（取り纏め者用）のページ図である。
【図１９】本発明のサービス概要のページ図である。
【図２０】本発明の衛生管理サービスのページ図である。
【図２１】本発明の食材情報サービスのページ図である。
【図２２】本発明のカロリー情報サービスのページ図である。
【図２３】本発明のカロリー情報サービスのページ図である。
【図２４】本発明のメニュー・レシピ情報サービスのページ図である。
【図２５】本発明のメニュー・レシピ情報サービスのページ図である。
【図２６】本発明の人気度情報サービスのページ図である。
【図２７】本発明の抽選情報サービスのページ図である。
【図２８】本発明の広告情報サービスのページ図である。
【符号の説明】
２００  注文端末
３００  弁当アプリケーションサービスプロバイダー
４００  弁当生産管理システム
５００  バックエンドサーバ
６００  バックエンド端末
７００  弁当工場
８００  決済サーバ
１０００  インターネット／イントラネット
【図１】
2004288059.tif 000003
【図２】
2004288059.tif 000004
【図３】
2004288059.tif 000005
【図４】
2004288059.tif 000006
【図５】
2004288059.tif 000007
【図６】
2004288059.tif 000008
【図７】
2004288059.tif 000009
【図８】
2004288059.tif 000010
【図９】
2004288059.tif 000011
【図１０】
2004288059.tif 000012
【図１１】
2004288059.tif 000013
【図１２】
2004288059.tif 000014
【図１３】
2004288059.tif 000015
【図１４】
2004288059.tif 000016
【図１５】
2004288059.tif 000017
【図１６】
2004288059.tif 000018
【図１７】
2004288059.tif 000019
【図１８】
2004288059.tif 000020
【図１９】
2004288059.tif 000021
【図２０】
2004288059.tif 000022
【図２１】
2004288059.tif 000023
【図２２】
2004288059.tif 000024
【図２３】
2004288059.tif 000025
【図２４】
2004288059.tif 000026
【図２５】
2004288059.tif 000027
【図２６】
2004288059.tif 000028
【図２７】
2004288059.tif 000029
【図２８】
2004288059.tif 000030